(57)【要約】【課題】  ファン駆動用モータのモータ駆動部に動作異常が生じた場合でも、モータ駆動部を用いずにファン駆動用モータに強制通電することで、ファンの運転を継続させる。【解決手段】  ラジエータ冷却用ファンおよびコンデンサ冷却用ファンを駆動する各モータ２，３をＰＷＭ制御方式で駆動するモータ駆動部２０内の異常検出部２９は、出力段を構成する各半導体スイッチング素子（例えばＦＥＴ２５，２６）の過温度、過電流、過電圧、スイッチング動作異常を検出すると、異常情報をデータ通信部２２を介して主制御部１０へ供給する。主制御部１０内の強制通電制御部１４は、異常情報を受信すると強制通電部４０の各リレー接点４１２，４１３を閉状態に駆動し、各モータ２，３へバッテリ電源４を通電する。【選択図】        図１
2005069160.tif 000002
【特許請求の範囲】
【請求項１】
ファンを駆動するモータと、
主制御部から供給される運転指令に基づいて１または複数の半導体スイッチング素子のスイッチング動作を制御してモータへ供給する電力を制御するとともに、異常検出部によって前記半導体スイッチング素子の動作状態に異常が検出された際に異常情報を前記主制御部へ供給するモータ駆動部と、
前記モータに強制通電する強制通電部と、
運転指令を前記モータ駆動部へ供給するとともに、前記モータ駆動部から異常情報が供給された際は、前記強制通電部を強制通電状態または一定時間強制通電状態に制御する主制御部とを備えることを特徴とする電動ファン制御装置。
【請求項２】
前記異常検出部は、前記半導体スイッチング素子の過電流、過電圧、過温度のいずれかが検出された際に異常情報を出力することを特徴とする請求項１記載の電動ファン制御装置。
【発明の詳細な説明】
【技術分野】
【０００１】
本発明は、冷却用ファンや送風用ファン等を駆動する電動ファン制御装置に関するものである。
【背景技術】
【０００２】
エアコン付き車両においては、コンデンサ、ラジエータ内を流れる冷却媒体を２つの冷却ファンを作動させて冷却している。冷却ファン駆動用のモータをパルス幅変調制御で駆動することで、モータの回転速度を連続的に可変している（特許文献１参照）。
【０００３】
モータを駆動する半導体スイッチング素子に流れる電流を監視し、パルス幅変調制御におけるパルス幅を一定値に制限することでモータ電流を制限したり、半導体スイッチング素子の駆動を停止したりすることで、過電流に対する保護を図っている（特許文献２参照）。
【特許文献１】特開平１０−２２２２号公報
【特許文献２】特開平１０−８９５９号公報
【発明の開示】
【発明が解決しようとする課題】
【０００４】
半導体スイッチング素子の駆動を停止させて半導体スイッチング素子の保護を図るようにした場合、冷却ファンの作動が停止される。このため冷却不足となることがある。
【０００５】
本発明はこのような課題を解決するためなされたもので、モータを駆動する回路部の動作に異常が生じた場合でも、ファンの運転を継続できる電動ファン制御装置を提供することを目的とする。
【課題を解決するための手段】
【０００６】
前記課題を解決するため本発明に係る電動ファン制御装置は、ファンを駆動するモータと、主制御部から供給される運転指令に基づいて１または複数の半導体スイッチング素子のスイッチング動作を制御してモータへ供給する電力を制御するとともに、異常検出部によって半導体スイッチング素子の動作状態に異常が検出された際に異常情報を主制御部へ供給するモータ駆動部と、強制運転指令に基づいてモータに強制通電する強制通電部と、運転指令をモータ駆動部へ供給するとともに、モータ駆動部から異常情報が供給された際は、強制通電部を強制通電状態または一定時間強制通電状態に制御する主制御部とを備える。
【０００７】
異常検出部は、半導体スイッチング素子の過電流、過電圧、過温度のいずれかが検出された際に異常情報を出力する。
【発明の効果】
【０００８】
本発明に係る電動ファン制御装置は、運転指令に基づいてモータへ供給する電力を制御するモータ駆動部の動作に異常が検出されると、強制通電部によってモータを強制通電する。したがって、モータ駆動部の動作に異常が生じても、強制通電部によってモータを強制駆動してファンの運転を継続できる。
【発明を実施するための最良の形態】
【０００９】
以下、発明を実施するための最良の形態を実施例に基づいて説明する。
【実施例１】
【００１０】
図１は本発明に係る電動ファン制御装置の一実施例を示すブロック図であり、自動車用冷却システムの電動ファン制御装置を示している。この電動ファン制御装置１は、図示しないラジエータ冷却用ファンを駆動する直流モータ（以下、モータと記す）２および図示しないコンデンサ冷却用ファンを駆動する直流モータ（以下、モータと記す）３を制御する。電動ファン制御装置１は、エンジン電子制御ユニット（エンジンＥＣＵ）からなる主制御部１０と、各モータ２，３を駆動するモータ駆動部２０と、各モータ２，３およびモータ駆動部２０へバッテリ電源４を供給するモータ電源供給用リレー３１と、モータ駆動部２０を用いずに各モータ２，３に通電する強制通電部４０と、車載のバッテリ電源４と、イグニッションスイッチ５および各ヒューズ６，７等からなる。
【００１１】
イグニッションスイッチ５がオン状態に操作されると、ヒューズ６を介して主制御部１０へバッテリ電源４が供給されるとともに、モータ電源供給用リレー３１の励磁巻線３１１にバッテリ電源４が通電されリレー接点３１２が閉状態に駆動されて、ヒューズ７，リレー接点３１２を介してモータ駆動部２０へバッテリ電源４が供給される。
【００１２】
主制御部１０は、図示しないエンジン制御部と、電源部１１と、モータ運転指令部１２と、データ通信部１３と、強制通電制御部１４とを備える。図示しないエンジン制御部は、各種センサ等１６〜１９からの信号に基づいて図示しないエンジンの制御を行なう。電源部１１は、バッテリ電源４から電力の供給を受けて例えば５ボルトの安定化電源ＶＣを生成して各回路部へ供給する。モータ運転指令部１２は、各種センサ（エンジン冷却水の水温センサ１６、車速センサ１７、冷媒圧力センサ１８）からの信号及びエアコンスイッチ１９の信号に基づいて各モータ２，３の要求回転速度を求め、要求回転速度に関するデータをデータ通信部１３を介してモータ駆動部２０へ供給する。データ通信部１３は、モータ駆動部２０側のデータ通信部２２との間で例えば調歩同期方式のシリアルデータ通信を行なう。
【００１３】
強制通電制御部１４は、主制御部１０に電源が投入された初期状態において強制通電部４０を非動作状態にしている。具体的には、強制通電部４０を構成する強制通電用リレー４１の励磁巻線４１１への通電を停止している。強制通電制御部１４は、モータ駆動部２０側からデータ通信部１３を介して異常情報が供給された場合には、強制通電部４０を動作状態に制御する。具体的には、強制通電部４０を構成する強制通電用リレー４１の励磁巻線４１１に通電し、各リレー接点４１２，４１３を閉状態に駆動する。各リレー接点４１２，４１３が閉状態になると、各モータ２，３にバッテリ電源４が通電される。したがって、モータ駆動部２０を用いることなく各モータ２，３を駆動することができる。なお、モータ運転指令部１２が異常情報の内容に基づいて強制通電を行なうか否かを判断し、強制通電制御部１４および強制通電部４０を介して各モータ２，３を強制駆動するようにしてもよい。
【００１４】
モータ駆動部２０は、電源部２１と、データ通信部２２と、ＰＷＭ制御部２３と、出力段駆動部２４と、一方のモータ２を駆動する半導体スイッチング素子としてのＦＥＴ（電界効果トランジスタ）２５と、他方のモータ３を駆動する半導体スイッチング素子としてのＦＥＴ（電界効果トランジスタ）２６と、各ＦＥＴ２５，２６の温度をそれぞれ検出する各温度センサ２７，２８と、各ＦＥＴ２５，２６で構成される出力段の異常を検出する異常検出部２９と、一方のモータ２の逆起電圧を吸収するダイオード８と、他方のモータ３の逆起電圧を吸収するダイオード９とを備える。なお、図１では半導体スイッチング素子としてＭＯＳ型のＦＥＴを例示したが、半導体スイッチング素子としてバイポーラトランジスタや絶縁ゲート型のバイポーラトランジスタ等を用いてもよい。
【００１５】
バッテリ電源４は、ヒューズ７および電源供給用リレー３１の接点３１２を介してモータ駆動部２０および各モータ２，３の一方の端子へそれぞれ供給される。モータ駆動部２０内の電源部２１は、バッテリ電源４から電力の供給を受けて例えば５ボルトの安定化電源ＶＣＣを生成して各回路部へ供給する。データ通信部２２は、主制御部１０側のデータ通信部１３との間で例えば調歩同期方式のシリアルデータ通信を行なう。
【００１６】
ＰＷＭ制御部２３は、主制御部１０側からデータ通信部２２を介して供給されるモータの要求回転速度に関するデータに基づいて、要求回転速度に対応したデューティ比のＰＷＭ信号を生成して出力する。出力段駆動部２４は、ＰＷＭ制御部２３から供給されるＰＷＭ信号に基づいて各ＦＥＴ２５，２６のゲートを駆動する。これにより、各ＦＥＴ２５，２６がＰＷＭ信号に基づいてスイッチング駆動され、各モータ２，３に供給する電力がＰＷＭ制御される。
【００１７】
異常検出部２９は、過電圧検出部２９１と過電流検出部２９２と過温度検出部２９３と動作異常検出部２９４とを備える。過電圧検出部２９１は、各ＦＥＴ２５，２６に供給される電圧を監視し、予め設定した許容電圧を越える場合には過電圧検出情報を出力する。過電圧検出部２９１は、各ＦＥＴ２５，２６に供給される電圧を抵抗分圧回路で分圧して得た電圧と、予め設定したしきい値電圧とを比較器等で比較することで過電圧を検出するようにしてもよい。過電圧検出部２９１は、各ＦＥＴ２５，２６に供給される電圧を抵抗分圧回路で分圧して得た電圧をＡ／Ｄ変換器を介してＡ／Ｄ変換し、Ａ／Ｄ変換された電圧データに基づいて過電圧を判定するようにしてもよい。
【００１８】
過電流検出部２９２は、各ＦＥＴ２５，２６がオン状態にあるときのオン電圧に基づいて各ＦＥＴ２５，２６に流れる電流（モータ電流）を監視し、予め設定した許容電流を越える場合には過電流検出情報を出力する。なお、各ＦＥＴ２５，２６に流れる電流（モータ電流）の検出は、各ＦＥＴ２５，２６に直列に電流検出用の抵抗を介設し、電流検出用の抵抗の両端に発生した電圧に基づいて行なうようにしてもよい。
【００１９】
過温度検出部２９３は、各温度センサ２７，２８の出力に基づいて各ＦＥＴ２５，２６の温度を監視し、予め設定した許容温度を越える場合には過温度検出情報を出力する。各温度センサ２７，２８は、各ＦＥＴ２５，２６の近傍に設けられている。各温度センサ２７，２８は、サーミスタ等の感熱抵抗素子を用いて構成している。各温度センサ２７，２８はダイオードを用いて構成し、ダイオードの順方向降下電圧の温度特性から温度を検出するようにしてもよい。
【００２０】
動作異常検出部２９４は、オン状態に駆動されているときの各ＦＥＴ２５，２６のオン電圧（オン状態のドレイン−ソース間電圧）が予め設定した許容値を越えた場合、および、オフ状態に駆動されているときの各ＦＥＴ２５，２６のドレイン電圧または漏れ電流が予め設定した許容値を下回った場合に、スイッチング素子のスイッチング動作に異常がある旨の動作異常情報を出力する。また、シャント抵抗で電流を検出し許容値を上回った場合を検出し出力しても良い。
【００２１】
異常検出部２９は、過電圧、過電流、過温度、動作異常のいずれかが検出されると、その異常情報をデータ通信部２２を介して主制御部１０側へ供給するとともに、異常情報をＰＷＭ制御部２３へ供給する。ＰＷＭ制御部２３は、異常情報が供給されると、ＰＷＭ信号の出力を停止し、出力段駆動部２４を介して各ＦＥＴ２５，２６をオフ状態に駆動する。
【００２２】
異常検出部２９は、過電圧、過電流、過温度、動作異常のいずれも検出されない正常動作状態では、予め設定した周期（例えば１秒周期）で正常情報をデータ通信部２２を介して主制御部１０側へ供給する。
【００２３】
次に実施例１の動作を説明する。イグニッションスイッチ５がオン状態に操作されると、主制御部１０にバッテリ電源４が供給されるとともに、リレー３１が駆動され、モータ駆動部２０へバッテリ電源４が供給される。主制御部１０内のモータ運転指令部１２によって各モータ２，３の要求回転速度が求められ、要求回転速度に関するデータ（運転指令）がデータ通信部１３を介してモータ駆動部２０へ供給される。モータ駆動部２０内のＰＷＭ制御部２３は、回転速度とデューティ比の対応テーブル等を参照して要求回転速度に対応するデューティ比を求めるとともに、要求回転速度に対応するデューティ比のＰＷＭ信号を生成し、出力段駆動回路２４を介して各ＦＥＴ２５，２６を駆動する。なお、モータ運転指令部１２側で要求回転速度に対応するデューティ比を求め、デューティ比をモータ駆動部２０側へ供給するようにしてもよい。これにより、各モータ２，３は、要求回転速度で回転され、図示しない各冷却用ファンが回動される。なお、ＰＷＭ制御部２３は、各モータ２，３を起動させる際には、ＰＷＭ信号のデューティ比を徐々に増加させるソフトスタート処理を行なうことで、モータ起動時の突入電流を低減させるようにしている。
【００２４】
異常検出部２９は、各モータ２，３を駆動する各ＦＥＴ２５，２６の動作状態を継続的に監視しており、過電圧、過電流、過温度、動作異常が検出されると、出力段の異常を示す情報（異常情報）をデータ通信部２２を介して主制御部１０側へ供給する。
【００２５】
図２はモータ駆動部の異常に対するモータ強制通電処理を示すフローチャートである。主制御部１０内の強制通電制御部１４は、モータ駆動部２０側からデータ通信部１３を介して供給されるデータを受信すると（ステップＳ１）、受信したデータに基づいてモータ駆動部２０の出力段が異常であるか否かを判断する（ステップＳ２）。そして、異常情報を受信した場合には、強制通電部４０を介して各モータ２，３へバッテリ電源４を供給させる（ステップＳ３）。これにより、モータ駆動部２０を用いずに、各モータ２，３が強制駆動される。したがって、車両の走行中等にモータ駆動部２０の動作に異常が生じても、各ファンモータの運転を継続できる。
【００２６】
強制通電制御部１４は、異常情報を受信した場合に各モータ２，３を所定時間に亘って強制通電した後に、強制通電状態を解除するようにしてもよい。例えば、モータ駆動部２０のＦＥＴ２５，２６の過温度が解消されていれば、モータ駆動部２０によって各モータ２，３を駆動できる。さらに、強制通電制御部１４は、所定時間の強制通電を行なった回数をカウントし、所定回数（例えば３回）に達した場合には、強制通電状態を継続するようにしてもよい。
【００２７】
強制通電制御部１４は、モータ駆動部２０側から正常情報が所定時間を経過しても供給されない場合は、モータ駆動部２０またはデータ通信部１３の動作に異常が発生しているものと判断し、強制通電部４０を介して各モータ２，３を強制通電によって駆動するようにしてもよい。
【００２８】
主制御部１０は、各モータ２，３を強制通電によって駆動した際には、図示しない表示部にモータ駆動部２０に異常が発生している旨の表示を行なわせるようにしてもよい。主制御部１０は、図示しない車両診断装置に対して異常情報を供給して、モータ駆動部２０の異常状態の発生日時や異常内容を記憶させるようにしてもよい。
【実施例２】
【００２９】
図３は本発明に係る電動ファン制御装置の他の実施例を示すブロック図である。図３に示す電動ファン制御装置５０は、図１に示した電動ファン制御装置１に電源遮断部３０と電流検出部３５と電源遮断制御部１５とを追加したものである。
【００３０】
イグニッションスイッチ５がオン状態に操作され主制御部１０にバッテリ電源４が供給された初期状態において、電源遮断制御部１５は電源遮断部３０を構成するモータ電源供給用リレー３１の励磁巻線３１１を通電状態に制御する。これにより、リレー接点３１２が閉状態になり、各モータ２，３およびモータ駆動部２０へバッテリ電源４が供給される。
【００３１】
電源遮断制御部１５は、電流検出部３５によって検出される各モータ２，３およびモータ駆動部２０への供給電流が予め設定した許容値（例えばモータのロックに伴う大電流値）を越えた状態が所定時間継続した場合は、電源遮断部３０を遮断状態に制御する。具体的には、モータ電源供給用リレー３１の励磁巻線３１１への通電を停止し、リレー接点３１２を開状態にして、各モータ２，３およびモータ駆動部２０への電源供給を遮断する。
【００３２】
電源遮断制御部１５は、モータ駆動部２０側から異常情報を供給された場合には、電源遮断部３０を遮断状態に制御する。電源遮断制御部１５は、強制通電制御部１４によって各モータ２，３への強制通電を行なう場合は、電源遮断部３０を通電状態に制御するとともに、電流検出器３５の出力に基づいてモータ電流を監視し、各モータ２，３への供給電流が予め設定した許容値（例えばモータのロックに伴う大電流値）を越えた状態が所定時間継続した場合は、電源遮断部３０を遮断状態に制御する。したがって、強制通電部４０を介して各モータ２，３を強制通電している状態であっても、モータのロックやモータ巻線の短絡等による過電流が生じた場合には、電源供給を遮断することができる。
【００３３】
電流検出部３５は、電流変成器（カレントトランス）を用いたものや電流によって発生する磁束を検出する構成のものを用いている。なお、電流検出部３５は電流検出用の抵抗を備える構成のものであってもよい。
【実施例３】
【００３４】
図４は本発明に係る電動ファン制御装置のさらに他の実施例を示すブロック図である。図４は本発明に係るモータ駆動制御装置を自動車用オートエアコン装置のブロワファン制御に適用した例を示している。図４に示す電動ファン制御装置６０は、オートエアコン電子制御ユニット（オートエアコンＥＣＵ）からなる主制御部７０と、図示しないブロワファンを駆動する直流モータ（以下、モータと記す）６２と、モータ駆動部８０と、電源遮断部３０と、強制通電部９０とからなる。
【００３５】
主制御部７０内のモータ運転指令部７１は、図示しないエアコン操作パネル部の設定条件に基づいてブロワファン駆動用のモータ６２の要求回転速度を決定し、要求回転速度に関するデータをデータ通信部７２を介してモータ駆動部８０へ供給する。モータ駆動部８０内のＰＷＭ制御部８１は、データ通信部８２を介して受信した要求回転速度に関するデータに基づいて、要求回転速度に対応したデューティ比のＰＷＭ信号を生成し、出力段駆動部８３を介してＦＥＴ２５をスイッチング駆動する。これにより、モータ６２へ供給される電力がＰＷＭ制御され、モータ６２の回転速度が制御される。
【００３６】
異常検出部８４は、モータ６２を駆動するＦＥＴ２５の動作状態を継続的に監視しており、各検出部８４１，８４２，８４３，８４４によって過電圧、過電流、過温度、スイッチング動作異常が検出されると、出力段の異常を示す情報（異常情報）をデータ通信部８２を介して主制御部７０側へ供給する。
【００３７】
各データ通信部７２，８２間では、データ線（ＢＵＳ）１００を介して双方向のシリアルデータ通信が調歩同期方式によってなされる。通信プロトコルは、ＬＩＮ（Ｌｏｃａｌ  Ｉｎｔｅｒｃｏｎｅｃｔ  Ｎｅｔｗｏｒｋ）に準拠している。
【００３８】
主制御部７０内の電源遮断制御部７３は、異常情報を受信すると電源遮断部３０を所定時間（例えば数秒間）に亘って電源供給遮断状態にした後に、電源供給を再開する。モータ運転指令部７１は、モータ駆動部８０への電源供給を再開した後も、モータ駆動部８０側から異常情報が供給される場合はモータ駆動部８０が正常に動作できない状態にあるものと判断し、強制通電制御部７４を起動する。強制通電制御部７４は、強制通電部９０を構成するリレー９１の励磁巻線９１１を通電状態に制御することで、リレー９１の接点９１２を閉状態に駆動する。これにより、リレー９１の接点９１２を介してモータ６２に通電がなされ、モータ６２が駆動される。電源遮断部７３は、電流検出部３５の出力に基づいてモータ電流を監視しており、予め設定した許容値を越える状態が所定時間継続した場合には電源遮断部３０を遮断状態に制御する。
【００３９】
なお、各実施例では、リレー４１，９１を用いて強制通電部４０，９０を構成する例を示したが、強制通電部４０，９０は半導体スイッチング素子を用いて構成してもよい。
【００４０】
また、モータ駆動部２０，８０の電源入力端子部の前段側にリレー接点または半導体スイッチング素子を介設し、強制通電部４０，９０を介してモータ２，６２へ強制通電を行なっている強制通電状態では、リレー接点または半導体スイッチング素子をオフ状態に駆動することで、モータ駆動部２０，８０への電源供給を停止するようにしてもよい。これにより、モータ駆動部２０，８０での電力消費を無くすことができる。
【００４１】
さらに、強制通電状態ではモータ２，６２の各端子とモータ駆動部２０，８０との間の接続を複数のリレー接点等を用いて全て遮断するようにしてもよい。これにより、モータ駆動部２０，８０側の動作状態に影響されることなく、モータ２，６２を強制通電によって駆動できる。
【００４２】
また、各実施例では、主制御部１０，７０とモータ駆動部２０，８０との間でシリアルデータ通信によって運転指令や異常情報等の各種情報の送受を行なう構成を示したが、電圧信号、周波数信号、パルス幅信号等を用いて各種情報を送受する構成としてもよい。
【００４３】
なお、各実施例は自動車用の電動ファンモータ制御について示したが、本発明に係る電動ファン制御装置は自動車以外の各種の用途に適用することができる。
【図面の簡単な説明】
【００４４】
【図１】電動ファン制御装置のブロック図である。（実施例１）
【図２】モータ強制通電処理のフローチャートである。
【図３】電動ファン制御装置のブロック図である。（実施例２）
【図４】電動ファン制御装置のブロック図である。（実施例３）
【符号の説明】
【００４５】
１，５０，６０  電動ファン制御装置
２，３，６２  モータ
４  バッテリ電源
１０，７０  主制御部
１２，７１  モータ運転指令部
１３，２２，７２，８２  データ通信部
１４，７４  強制通電制御部
１５，７３  電源遮断制御部
２０，８０  モータ駆動部
２３，８１  ＰＷＭ制御部
２５，２６  半導体スイッチング素子（ＦＥＴ）
２７，２８  温度センサ
２９，８４  異常検出部
３０  電源遮断部
３５  電流検出部
４０，９０  強制通電部
【図１】
2005069160.tif 000003
【図２】
2005069160.tif 000004
【図３】
2005069160.tif 000005
【図４】
2005069160.tif 000006